(57)【特許請求の範囲】
【請求項１】
家電製品を遠隔操作し、乾電池で駆動されるリモコン送信機と、同リモコン送信機が着脱自在に装着され、壁に固定されるホルダーとを備えてなり、
前記リモコン送信機は、上部に表示素子を備え、前記ホルダーに装着された時に前記壁と平行になるように配置された表示部と、下部に操作キーを備え、内部に操作基板ユニットを備えた操作部とが断面く字状に角度をつけて配置されてなるリモコン装置において、
前記乾電池を前記操作基板ユニットの背面側に配置すると共に、前記乾電池の長手方向を前記リモコン送信機の長手方向と平行に配置してなることを特徴とするリモコン装置。
【請求項２】
前記断面く字状の角度をθ、前記乾電池の直径をｄ、前記乾電池の長さをｌ、前記操作基板ユニットの厚みをｔとそれぞれ定義した時、ｔ＜ｄの場合に前記角度θは、ｔ・ｃｏｓθ＜ｌ・ｓｉｎθが成り立つ範囲にし、ｔ＝ｄ、もしくは、ｔ＞ｄの場合に前記角度θは、ｄ・ｃｏｓθ＜ｌ・ｓｉｎθが成り立つ範囲にしてなることを特徴とする請求項１記載のリモコン装置。
【請求項３】
前記操作部の端部に、前記リモコン送信機の下部に向かうに従って、前記リモコン送信機の厚みを減ずる傾斜面からなる傾斜部を設け、前記操作部の面と前記傾斜部の面との角度を少なくとも前記角度θとしてなることを特徴とする請求項２記載のリモコン装置。
【発明の詳細な説明】
【技術分野】
【０００１】
本発明は、家庭内で使用され、家電製品を遠隔から制御するリモコン装置に係わり、より詳細には、リモコン装置の筐体形状や構造に関する。
【背景技術】
【０００２】
従来、家庭内で使用されるリモコン装置は、例えば空気調和機用のリモコン送信機と、ホルダーとで構成され、図６の斜視図に示す形状のものがあった。このリモコン送信機９０は前面に、液晶の表示部９０ａを備えた縦長の矩形体であり、手元に置いて使用しない場合は、図６に示すように図示しない壁などに固定されたホルダー９１に立てかけて保持できるようになっている。
【０００３】
このホルダー９１は、壁に固定される背面部９１ａと、リモコン送信機９０の下部を受ける受皿部９１ｂと、リモコン送信機９０の上下方向中間を左右から保持する保持部９１ｃとから構成されており、リモコン送信機９０をホルダー９１の上部から取り出したり、装着したりすることができる。
【０００４】
このようなリモコン送信機（以下リモコンと呼称）において、近年では液晶の表示部の表示内容を見易くするため、液晶の表示素子が配置された表示部面と、操作キーが配置された操作部面とに角度を持たせた構造、所謂「くの字型リモコン」の形状が提案されている。
図７はこのような構造を備えたリモコンとホルダーとの断面図であり、図７において、７１は略箱状でポリスチレンやＡＢＳ等の絶縁樹脂製の下ケースで、背面に孔状の係合部７１ａが設けられると共に、表示部８０がリモコンの略中間部から約１５度前後、図７の右方へ折曲された構造になっている。
【０００５】
また、７２と７３は紙フェノールやガラス入りエポキシ等の配線基板で、各々上下面に銅等によって複数の配線パターン（図示せず）が形成されると共に、配線基板７２と配線基板７３とは下ケース７１の底面に各々平行に配置され、この配線基板７２と７３はリード線等によって電気的に接続されている。
【０００６】
そして、７４は液晶表示素子であり、７５はシリコンゴム等の操作体で、上面にはドーム状の複数の操作キー７５ａが形成されると共に、この操作キー７５ａ下面にはカーボン等の可動接点７５ｂが形成され、この可動接点７５ｂが配線基板７３上面の複数の固定接点７３ａと所定の間隙を空けて対向して、複数のスイッチ接点が形成されている。
【０００７】
そして、配線基板７２や７３の上下面には、発光ダイオード７６やマイコン７９等の電子部品が実装されて、リモコン信号を送信するように形成されている。さらに、７７はポリスチレンやＡＢＳ等の絶縁樹脂製の上ケースで、下ケース７１と同様に、略中間部から約１５度前後折曲すると共に、上面には液晶表示素子７４の表示面が露出する開口部が設けられ、この開口部を光透過性のパネルが覆っている。
【０００８】
また、上ケース７７上面の複数の貫通孔から複数の操作キー７５ａが上方へ突出すると共に、上ケース７７が配線基板７２や７３、操作体７５等を収納した下ケース７１の上面開口部を覆ってリモコン７０が構成されている。なお、複数の操作キー７５ａが配置された部分が操作部８２である。
【０００９】
そして、このようなリモコン７０は、エアコンや給湯機器等の遠隔操作に用いられる場合、図７に示すように、室内の壁や柱等の側壁に取付けられたホルダー８１に、背面の係合部７１ａがフック状の係止部８１ａに係止されて着脱可能に装着され、リモコン７０を単体で、もしくはホルダー８１にリモコン７０を装着したまま使用できる構造になっている（例えば、特許文献１参照。）。
【００１０】
一方、くの字型リモコンの別の形状としては、図８に示すものも提案されている。図８はリモコンと、壁に固定されたホルダーを示す断面図である。このリモコンは液晶表示素子７４が配置された表示部８０の面と、操作キー７５ａが配置された操作部８２の面とが１８０度より小さい角度に形成、つまり、表示部８０が折曲され、操作部８２の面から起き上がった形状に形成され、表示内容を見易くした構造になっている。
【００１１】
図８のリモコンの主要な部品は、図７の部品とほぼ同じため、同じ機能の部品には同じ番号を付与し、詳細な説明を省略する。
図８のリモコン７０は、上ケース７７と下ケース７１で筐体を構成し、この中に液晶表示素子７４と発光ダイオード７６とを装着した配線基板７２と、操作キー７５ａを備えた複数の操作体７５を装着した配線基板７３と、各配線基板に電源を供給する乾電池７８とが配置されている。
【００１２】
一般的にエアコンなどを制御するリモコンは、映像機器を操作するリモコンなどと比較して操作キーの数が少ない。従って、リモコンを正面から見た時の左右の幅は、映像機器を操作するリモコンの幅より狭く、このため、乾電池７８を縦置き（リモコンの長手方向に乾電池の長手方向を配置）にする場合が多い。図８の例も乾電池７８を縦置きに配置している。
【００１３】
一方、下ケース７１の背面には孔状の係合部７１ａが設けられており、また、壁に固定されたホルダー８１の上部には係合部７１ａと係合するフック状の係止部８１ａが設けられており、リモコン７０をホルダー８１に着脱可能に装着することができる。
【００１４】
このように、くの字型リモコンをホルダーに着脱自在とした構造は、図６の板状のリモコン構造と異なり、くの字型の筐体のため図７や図８に示すように、壁から突出した寸法Ｌが大きくなり、これを少しでも改善するため、筐体を薄く、つまり、リモコンの厚みをできるだけ薄くする構造が採用されていた。
【００１５】
図９は図８のリモコン７０を手に持って、片手で操作する時の様子を示す説明図である。前述のように、リモコンの厚みが薄く、さらに手に持ったリモコンの手前側に重量のある乾電池が配置されている。そして、親指以外の指でリモコンを保持しながら、親指を使って操作キー７５ａを押下して遠隔操作を行なう。
【００１６】
しかしながら、図７の構造では、ホルダーに装着した時に壁から突出した寸法Ｌが大きく、また、操作部の部分が全て突出しているために人がリモコンのそばを通過するときに邪魔であり、また、デザイン的にも圧迫感があった。
【００１７】
一方、図８の構造（薄型）では、ホルダーに装着した時に壁から突出した寸法Ｌをある程度小さくすることができるが、リモコン内部に空間の余裕がないため、ホルダーに備えられたフック状の係止部８１ａを大きくすることができず、係止が不安定になるという問題があった。さらに、係合部７１ａと係止部８１ａと同じ係止構造をリモコンの操作部の背面に設けようとしても、リモコン内部に空間の余裕がなくて設けることができないという問題もあった。
【００１８】
また、この薄型構造のリモコンは図９に示すように、親指以外の指と手の親指の付け根とでリモコンを挟むことになるため、安定してリモコンを保持することが難しく、また、重量のある乾電池が手前（リモコンを立てた場合の下方）に配置されているために重心が手前にあり、図９の点線で示すように、操作キーを押下する度にリモコンが前後に揺れてしまい、操作しづらいという問題もあった。
【００１９】
【特許文献１】特開２００５−２４４５５４号公報（第４−５頁、図１）
【発明の開示】
【発明が解決しようとする課題】
【００２０】
本発明は以上述べた問題点を解決し、くの字型リモコンを壁掛けホルダーに着脱自在とした構造であっても、壁から突出した寸法を小さくし、かつ、リモコン単体での操作性を向上させたリモコンの筐体構造を提供することを目的とする。
【課題を解決するための手段】
【００２１】
本発明は上述の課題を解決するため、家電製品を遠隔操作し、乾電池で駆動されるリモコン送信機と、同リモコン送信機が着脱自在に装着され、壁に固定されるホルダーとを備えてなり、
前記リモコン送信機は、上部に表示素子を備え、前記ホルダーに装着された時に前記壁と平行になるように配置された表示部と、下部に操作キーを備え、内部に操作基板ユニットを備えた操作部とが断面く字状に角度をつけて配置されてなるリモコン装置において、
前記乾電池を前記操作基板ユニットの背面側に配置すると共に、前記乾電池の長手方向を前記リモコン送信機の長手方向と平行に配置する。
【００２２】
また、前記断面く字状の角度をθ、前記乾電池の直径をｄ、前記乾電池の長さをｌ、前記操作基板ユニットの厚みをｔとそれぞれ定義した時、ｔ＜ｄの場合に前記角度θは、ｔ・ｃｏｓθ＜ｌ・ｓｉｎθが成り立つ範囲にし、ｔ＝ｄ、もしくは、ｔ＞ｄの場合に前記角度θは、ｄ・ｃｏｓθ＜ｌ・ｓｉｎθが成り立つ範囲に設定する。
【００２３】
さらに、前記操作部の端部に、前記リモコン送信機の下部に向かうに従って、前記リモコン送信機の厚みを減ずる傾斜面からなる傾斜部を設け、前記操作部の面と前記傾斜部の面との角度を少なくとも前記角度θにする。
【発明の効果】
【００２４】
以上の手段を用いることにより、本発明によるリモコン装置によれば、
請求項１に係わる発明は、表示が見易い「くの字型リモコン」において、リモコンの全長が短くなり、かつ、手でリモコンを握る部分が乾電池の配置により太くなり、さらに、リモコンの重心が重量のある乾電池のために操作部付近となるため、操作キーの押下によるリモコンの揺れが低減され、片手持ちの場合に操作性が向上する。
また、薄型リモコン（図８）の構造に比較して、乾電池の直径の寸法だけ厚みが増加しているため、表示部の下方や操作部の下方に空間が存在する。このため、ホルダーとリモコンと係止構造、例えばフックやこれと対応する孔を大きくすることができ、リモコンをホルダーへ確実に載置することができる。
【００２５】
請求項２に係わる発明は、リモコンを壁に固定したホルダーに載置した時に、壁からの突出距離を低減させることができ、人の通行の邪魔にならず、また見た目の圧迫感も低減させることができる。
【００２６】
請求項３に係わる発明は、リモコンを壁に固定したホルダーに載置した時に、壁からの突出距離を請求項２の場合よりもさらに低減させることができる。また、リモコンを卓上置きで使用するときに、傾斜部を設けたことにより、操作部の下端が手のひらに当たらないため、楽な姿勢で操作することができる。
さらに、リモコンを片手持ちで使用するときに、傾斜部を設けたことにより、手のひらに直接リモコンの角や辺が当たらないため、操作性を向上させることができる。
また、傾斜部により、リモコンを薄く認識させることができ、見た目の圧迫感も低減させることができる。
【発明を実施するための最良の形態】
【００２７】
以下、本発明の実施の形態を、添付図面に基づいた実施例として詳細に説明する。なお、背景技術で説明したものと同じ機能の部品は同じ番号を付与し、詳細な説明を省略する。
【００２８】
本発明の特徴は、くの字型リモコンを壁掛けホルダーに着脱自在とした構造において、乾電池を操作部の背面に、かつ、リモコンの長手方向に配置し、さらに、リモコンの表示面が操作部の面に対して所定角度以上起き上がった角度に形成されていることである。
【実施例１】
【００２９】
図１は本発明によるリモコン１０の側断面図である。このリモコン１０の筐体は、合成樹脂からなる下ケース１と上ケース２とが互いの開放口を合わせて形成されており、上ケース２の操作部８２には操作キー蓋２ａが配置されている。一方、下ケース１には、電池蓋１ａが配置されている。また、下ケース１の背面には、矩形の孔を備えた凹部からなる、第一係合部１ｃと第二係合部１ｄとが設けられている。
【００３０】
リモコン１０の筐体の内部には、液晶表示素子７４と発光ダイオード７６とが接続された配線基板７２と、操作キー７５ａが形成された操作体７５を備えた配線基板７３とが配置され、同配線基板７３の下方には乾電池７８を格納する収納部１ｂが設けられている。なお、この収納部１ｂ開放口には電池蓋１ａが配置されている。なお、この配線基板７３で規定される面積において、この配線基板７３の背面から、このリモコン１０の外殻を構成する上ケース２（ただし、ここでは操作キー蓋２ａ）の内面までを操作基板ユニット７と呼称し、その厚みをｔと規定する。
【００３１】
そして、リモコン１０の筐体は、液晶表示素子７４が配置された表示部８０と操作キー７５ａが配置された操作部８２とが１６０度の角度で折曲された形状になっている。つまり、操作部８２の面に対して表示部８０の面が角度θ＝２０°だけ起き上がった形状になっており、操作部８２の操作キー７５ａを人が操作する場合に、表示部８０の表示内容が見易いようになっている、所謂「くの字型リモコン」の形状になっている。なお、表示部８０の面と、図２で示す壁３０の面とはほぼ平行になるように構成されている。
【００３２】
一方、図１に示すように、上ケース２の操作キー蓋２ａは、上方へ取り外せる構造となっており、操作キー蓋２ａを取り外すと、普段は使用しない小さな操作キー７５ａが現れるようになっている。また、操作キー蓋２ａの表面は、図１の右に向かうに従って下方に傾斜した構造になっており、傾斜部２ｂが形成されている。なお、操作部８２の平面を基準として、この傾斜の角度θは、表示部８０の面の傾斜角度θと同じ２０°に形成されている。
【００３３】
次に図２の断面図を用いて図１で説明したリモコン１０をホルダー２０を用いて、所謂「壁掛けリモコン」に設置した構造を説明する。
壁３０に固定されたホルダー２０は合成樹脂で形成され、下ケース１の背面に対応した載置部２１と、同載置部２１の下方から壁３０に向かって延出した補強部２２とから構成されている。
【００３４】
載置部２１の表面上方には下ケース１の第一係合部１ｃの孔と対応するフック状の係止部２１ａと、また、載置部２１の表面中央には下ケース１の第二係合部１ｄの孔と対応するフック状の係止部２１ｂとが設けられており、それぞれの、係止部がそれぞれの係合部へ差し込まれることにより、リモコン１０をホルダー２０に着脱自在に装着するようになっている。
【００３５】
次に図２を用いて「壁掛けリモコン」として設置した本発明の構造が、図８の薄型リモコンの構造よりも、壁からの突出した寸法Ｌが小さくなる理由について説明する。
構造の違いによる寸法Ｌの変動要素は主として乾電池７８で決定されるため、比較を単純にするため、乾電池７８の収納位置と、その収納位置での乾電池７８による壁３０に対して垂直方向（図２における左方向）の突出寸法を比較することにする。
【００３６】
本発明の構造の場合、乾電池７８が配線基板７３の下に配置されているため、図８と比較して操作基板ユニット７の厚みｔの寸法だけ厚さが厚くなっている。一方、図８構造の場合、乾電池７８が配線基板７３の端を基端として配置されているため、図２の構造と比較して、リモコンの厚みの増加はないが、乾電池７８の長さｌだけ長さが長くなっている。従って、もしリモコンが図６のような板状の構造であれば、本発明の構造では乾電池７８の直径ｄの寸法だけ厚さが厚くなり、配線基板７３の下に乾電池７８を配置する意味はない。
【００３７】
ところが、本発明は「くの字型リモコン」の形状であるため、配線基板７３の下に乾電池７８を配置することによるリモコンの厚みの増加は、一般的に角度θと乾電池７８の直径ｄとで決定される。つまり、リモコンの厚みの増加である距離Ｌ１は次の式で決定される。
Ｌ１＝ｄ・ｃｏｓθ    ・・・・・式１
【００３８】
一方、図８の構造の場合は、乾電池７８の長さｌだけ図２の構造より長くなるため、この構造による距離Ｌ２の増加は角度θと乾電池７８の長さｌとで決定される。つまり、次の式で決定される。
Ｌ２＝ｌ・ｓｉｎθ    ・・・・・式２
【００３９】
ただし、式１のＬ１は単純に乾電池７８の直径ｄがそのまま増加した場合、つまり、操作基板ユニット７の厚みｔが、ｔ＝ｄ、または、ｔ＞ｄの場合を算出している。この場合の本発明が効果を有する範囲を式で表すと以下のようになる。
ｄ・ｃｏｓθ＜ｌ・ｓｉｎθ    ・・・・・式３
【００４０】
一方、図８で示すように乾電池７８の直径ｄの寸法の中に本実施例で説明する操作基板ユニットの厚みｔが含まれている場合は、ｔの寸法が本実施例における実際の乾電池７８による厚みの増加分である。従って、ｔ＜ｄの場合に本発明が効果を有する範囲を式で表すと以下のようになる。
ｔ・ｃｏｓθ＜ｌ・ｓｉｎθ    ・・・・・式４
【００４１】
また、ｔ＝ｄ、または、ｔ＞ｄの場合に、本発明の効果の有無が分かれる分岐点は以下の式で決定される。
ｄ・ｃｏｓθ＝ｌ・ｓｉｎθ    ・・・・・式５
また、ｔ＜ｄの場合に、本発明の効果の有無が分かれる分岐点は以下の式で決定される。
ｔ・ｃｏｓθ＝ｌ・ｓｉｎθ    ・・・・・式６
【００４２】
ここで、ｔ＞ｄの場合、つまり、操作基板ユニット７の厚みが乾電池７８の直径寸法より大きい場合で、乾電池７８が単四型乾電池であるとすると、ｄ＝１０．５ｍｍ、ｌ＝４４．５ｍｍであるため、式５に代入して効果の有無の分岐点である角度θを算出すると、θ＝１３．２°となる。同様に乾電池７８が単三型乾電池であるとすると、ｄ＝１４．５ｍｍ、ｌ＝５０．５ｍｍであるため、式５に代入して角度θを算出すると、θ＝１６．１°となる。従って、それぞれのサイズの乾電池において、算出したθの角度よりも大きい角度の場合に効果があることがわかる。
【００４３】
本実施例の場合、θ＝２０°であるため、仮に操作基板ユニット７の厚みが乾電池７８の直径寸法より大きい場合で、かつ、単三型や単四型の乾電池を用いても、図８の薄型リモコンよりも壁から突出した寸法Ｌが小さくなる。また、θを大きくすればさらに寸法Ｌを小さくすることができる。
【００４４】
また、図８の薄型リモコンの構造のように、乾電池７８の直径ｄの寸法の中に本実施例で説明する操作基板ユニット７の厚みｔが含まれている場合、つまり、ｔ＜ｄの場合を説明する。
例えば角度θがデザイン的に決定されてθ＝９°、また、単四型乾電池を用いることになったとすると、角度θを式６に代入して本発明の効果が有効な操作基板ユニットの厚みｔの分岐点を算出する。この結果、操作基板ユニット７の厚みが約ｔ＝７．１ｍｍの場合が効果の分岐点となり、ｔが７．１ｍｍより小さくなるように設計することにより、図８の構造よりも壁から突出した寸法Ｌを小さくすることができる。
【００４５】
なお、乾電池７８が縦置きでなく横置きの場合は、乾電池の長さｌを以下の式で代替するとよい。但し、Ｎは乾電池の個数を表す。
ｌ＝Ｎ・ｄ    ・・・・・式７
当然のことながらＮ＝１の場合は、本発明の効果を得られない。これ以外の個数であれば効果を得ることができるが、乾電池７８が縦置きの場合と比較してその効果は少ない。
【００４６】
このように、乾電池を縦置きにして操作部８２の下に配置することにより、「壁掛けリモコン」として設置した場合に壁から突出した寸法Ｌを小さくすることができ、人がリモコンのそばを通過するときに邪魔にならず、また、デザイン的にも圧迫感を低減させることができる。また、リモコンの操作部８２の手前の辺を角度θだけカットした傾斜部２ｂが設けられているため、さらに寸法Ｌを小さくすることができる。
【００４７】
さらに、本発明では図８の構造に比較して、操作基板ユニット７の厚み、または、乾電池の直径の寸法だけ厚みが増加しているため、表示部８０の下方や操作部８２の下方の一部に空間が存在する。このため、図８の構造に比較してホルダー２０のフック状の係止部２１ａやフック状の係止部２１ｂを大きくすることができ、リモコン１０をホルダー２０へ確実に載置することができる。
【００４８】
次に図３、図４を用いてリモコンの上ケース２に設けられた傾斜部２ｂの他の効果について説明する。図３（Ａ）はリモコンをテーブルの上に置いて操作する様子を示す説明図であり、図３（Ｂ）はリモコンを片手で握った状態で操作する様子を示す説明図である。
【００４９】
図３（Ａ）のように卓上で操作する場合は、表示部が起き上がっているため表示内容が見易くなる。この場合は親指をリモコンの側面に軽く当て、人指し指で操作キーを押下する操作形態となる。この時、傾斜部２ｂに親指の付け根が当たらないため、快適にリモコンを操作することができる。
【００５０】
また、図３（Ｂ）のようにリモコンを片手で握った状態で操作する場合は、親指以外の４本の指と親指の付け根でリモコンを握りしめ、親指で操作キーを押下する。本発明の場合は乾電池７８が操作部８２の下に縦置きに配置されているため、リモコン全体に厚みがあり、非常に握り易い。また、比較的重量のある乾電池７８が手の中心付近に配置されることになり、このため重心も手の中心付近になる。従って、親指で操作キーを押下した場合でも図９で説明したように上下に揺れることもないため、操作性を向上させることができる。
【００５１】
図４は人間の目による視覚を説明する図である、図４（Ａ）は傾斜部２ｂがない場合、図４（Ｂ）は傾斜部２ｂを設けた場合を示している。
図４（Ａ）の傾斜部２ｂがない場合は、人間の目にリモコンの手前の端部の辺が明確に見えるため、リモコンの厚みがそのまま認識されてしまう。ところが、図４（Ｂ）のように傾斜部２ｂを設けた場合は、人間の目にリモコンの傾斜部２ｂの端部の辺を意識的に見ることになり、リモコンの厚みが薄く感じられ、圧迫感を低減できる。
【実施例２】
【００５２】
次に図５のリモコンとホルダーとの斜視図を用いて本発明の他の実施例を説明する。なお、実施例１と同じ機能の部品には同じ番号を付与し、詳細な説明を省略する。
【００５３】
このリモコン４０は実施例１のリモコンとほぼ同じ構造であるが、下ケースに第一係合部と第二係合部とを備えておらず、また、ホルダー５０にもフック状の係止部とフック状の係止部とが設けられていない。代わりに表示部８０の左右の側面に縦長の溝４０ａと、下ケースの手前に横長の溝４０ｂとを備えている。
【００５４】
一方、ホルダー５０には、下ケースに対応する載置部５０ａが備えられており、リモコン４０の表示部８０と対応する載置部５０ａの左右にはガイド板５０ｂが設けられており、このガイド板５０ｂの内面にはリモコン４０の溝４０ａと対応する縦長の爪５０ｃが設けられている。また、載置部５０ａの下方にはリモコン４０の溝４０ｂと対応する横長の爪５０ｄが設けられている。
【００５５】
リモコン４０を載置部５０ａに載置すると、リモコン４０の溝４０ａとホルダー５０の爪５０ｃとが嵌合し、また、リモコン４０の溝４０ｂとホルダー５０の爪５０ｄとが嵌合し、リモコン４０をホルダー５０に確実に保持することができる。
【００５６】
また、このリモコン４０の傾斜部４０ｃはなだらかな曲線で形成されているため、リモコンの視覚的な厚みを低減させ、薄く見せることができる。さらにリモコンを手で操作する場合に、傾斜部４０ｃに角がないため手にフィットし、操作感を向上させることができる。
【図面の簡単な説明】
【００５７】
【図１】本発明によるリモコンの実施例を示す側部断面図である。
【図２】本発明によるリモコンとホルダーとを示す側部断面図である。
【図３】本発明によるリモコンの操作を説明する説明図であり、（Ａ）は卓上での、（Ｂ）は手持ちでの、それぞれの取り扱いを示す図である。
【図４】本発明によるリモコンの目視状態を示す説明図であり、（Ａ）は傾斜部がない場合を、（Ｂ）は傾斜部を備えた図である。
【図５】本発明によるリモコンとホルダーとの他の実施例を示す斜視図である。
【図６】従来の板状リモコンをホルダーに装着した斜視図である。
【図７】従来のくの字型リモコンとホルダーを示す側断面図である。
【図８】他の従来のくの字型リモコンとホルダーを示す側断面図である。
【図９】従来のくの字型リモコンを操作する時の説明図である。
【符号の説明】
【００５８】
１  下ケース
１ａ  電池蓋
１ｂ  収納部
１ｃ  第一係合部
１ｄ  第二係合部
２  上ケース
２ａ  操作キー蓋
２ｂ  傾斜部
７  操作基板ユニット
１０  リモコン
２０  ホルダー
２１  載置部
２１ａ  係止部
２１ｂ  係止部
２２  補強部
３０  壁
４０  リモコン
４０ａ  溝
４０ｂ  溝
４０ｃ  傾斜部
５０  ホルダー
５０ａ  載置部
５０ｂ  ガイド板
５０ｃ  爪
５０ｄ  爪
７０  リモコン
７１  下ケース
７１ａ  係合部
７２  配線基板
７３  配線基板
７３ａ  固定接点
７４  液晶表示素子
７５  操作体
７５ａ  操作キー
７５ｂ  可動接点
７６  発光ダイオード
７７  上ケース
７８  乾電池
７９  マイコン
８０  表示部
８１  ホルダー
８１ａ  係止部
８１ｂ  補強部
８２  操作部
Ｌ、Ｌ１、Ｌ２  距離
ｄ  直径
ｌ  長さ
【図１】
0004635813.tif 000002
【図２】
0004635813.tif 000003
【図３】
0004635813.tif 000004
【図４】
0004635813.tif 000005
【図５】
0004635813.tif 000006
【図６】
0004635813.tif 000007
【図７】
0004635813.tif 000008
【図８】
0004635813.tif 000009
【図９】
0004635813.tif 000010